(57)【要約】【課題】均一な輝度を提供して液晶表示装置の製造原価を節減する。【解決手段】液晶表示装置１０は、データ電圧を印加した場合に互いに異なる輝度を示す第１領域と第２領域を含む液晶パネル１３６、データ電圧が印加された場合に前記液晶パネルが示さなければならない基準輝度が保存されているメモリ及びデータ電圧に対応する画像データを受信した場合に第１領域及び第２領域が基準輝度を示すことができるように画像データを補正する輝度補正部を含む。【選択図】図１
2008077041.tif 000002
【特許請求の範囲】
【請求項１】
データ電圧を印加した場合に互いに異なる輝度を示す第１領域と第２領域を含む液晶パネルと、
前記データ電圧が印加された場合に前記液晶パネルが示さなければならない基準輝度が保存されているメモリと、
前記データ電圧に対応する画像データを受信した場合に前記第１領域及び第２領域が前記基準輝度を示すことができるように前記画像データを補正する輝度補正部と、
を含むことを特徴とする液晶表示装置。
【請求項２】
前記基準輝度は前記第１領域が示す輝度に該当する輝度であることを特徴とする請求項１に記載の液晶表示装置。
【請求項３】
前記第２領域は前記第１領域よりも高い輝度を有する領域であり、
前記輝度補正部は前記第２領域が前記第１領域と同じ輝度を示すことができるように前記第２領域に対応する前記画像データを補正することを特徴とする請求項１に記載の液晶表示装置。
【請求項４】
前記輝度補正部は、
ｎビットの画像データをｍビットの画像データに拡張するデータ補正部と、
前記ｍビットの画像データを前記ｎビットの画像データに縮小するデータ縮小部と、
を含むことを特徴とする請求項３に記載の液晶表示装置。
【請求項５】
前記データ縮小部はディザリング処理とフレームレート制御処理を行うことを特徴とする請求項４に記載の液晶表示装置。
【請求項６】
前記基準輝度は前記第２領域が示す輝度に該当する輝度であることを特徴とする請求項１に記載の液晶表示装置。
【請求項７】
前記第１領域は前記第２領域よりも低い輝度を有する領域であり、
前記輝度補正部は第１領域が前記第２領域と同じ輝度を示すことができるように前記第１領域に対応する前記画像データを補正することを特徴とする請求項６に記載の液晶表示装置。
【請求項８】
前記輝度補正部は
ｎビットの画像データをｍビットの画像データに拡張するデータ補正部と、
前記ｍビットの画像データを前記ｎビットの画像データに縮小するデータ縮小部と、
を含むことを特徴とする請求項７に記載の液晶表示装置。
【請求項９】
前記データ縮小部はディザリング処理とフレームレート制御処理を行うことを特徴とする請求項８に記載の液晶表示装置。
【請求項１０】
前記基準輝度は前記第１領域の輝度よりも高く、前記第２領域の輝度よりも低いことを特徴とする請求項１に記載の液晶表示装置。
【請求項１１】
前記輝度補正部は前記第１領域及び第２領域が前記基準輝度を示すことができるように前記画像データを補正することを特徴とする請求項１に記載の液晶表示装置。
【請求項１２】
前記輝度補正部は
ｎビットの画像データをｍビットの画像データに拡張するデータ補正部と、
前記ｍビットの画像データを前記ｎビットの画像データに縮小するデータ縮小部と、
を含むことを特徴とする請求項１１に記載の液晶表示装置。
【請求項１３】
前記データ縮小部はディザリング処理とフレームレート制御処理を行うことを特徴とする請求項１２に記載の液晶表示装置。
【発明の詳細な説明】
【技術分野】
【０００１】
本発明は液晶表示装置に係り、さらに詳細には均一な輝度を提供することができ、さらに、液晶表示装置の製造原価を節減することができる液晶表示装置に関する。
【背景技術】
【０００２】
一般的に、液晶表示装置（Ｌｉｑｕｉｄ  Ｃｒｙｓｔａｌ  Ｄｉｓｐｌａｙ）は、下記特許文献１に示すように、各画素をスイッチングする薄膜トランジスタ（ＴＦＴ：Ｔｈｉｎ  Ｆｉｌｍ  Ｔｒａｎｓｉｓｔｏｒ）が形成されたＴＦＴ基板と、色画素が形成されたカラーフィルタ基板と、ＴＦＴ基板とカラーフィルタ基板との間に密封された液晶層とで構成される。液晶層を形成する液晶は、２個の基板間に加えられる電界の方向や大きさにしたがって液晶の配列が変更され、液晶の配列にしたがって光透過度（ｔｒａｎｓｍｉｓｓｉｖｅ  ｉｎｄｅｘ）が変更されるという特徴を有する。
【０００３】
このような液晶表示装置は、光を提供するランプの位置によってエッジ型液晶表示装置と直下型液晶表示装置とに分類することができる。
【０００４】
エッジ型液晶表示装置は、導光板の側面に隣接して配置された一つ以上のランプを具備する。導光板はランプから発生した光の経路を変更して液晶パネルを照射する。
【０００５】
直下型液晶表示装置は、複数のランプを具備し、ランプ下部にはランプで発生された光が液晶パネルの表示部に集中的に照射されるように反射板が配置されている。反射板が配置されているのは、光の利用効率を最大限に高めるためである。
【０００６】
しかし、直下型液晶表示装置は、ランプが設置されていない場所に対応する液晶パネルの領域の輝度よりも、ランプが設置されている場所に対応する液晶パネルの領域の輝度の方がより大きく現われる。このため、液晶パネル全体の輝度が均一ではなくなるという問題がある。
【０００７】
そして、液晶表示装置の表示品質を向上させるためには、ランプとランプとの間の距離とランプから拡散板までの距離との比が１．７以下にならなければならない。したがって、ランプと拡散板とが一定の間隔を維持するようにしなければならないので、液晶表示装置の厚さが厚くなってしまう。そして、これにより、印刷回路基板と液晶パネルとを連結する駆動チップパッケージの長さが長くなるため、液晶表示装置の製造原価が高くなるという問題がある。
【０００８】
また、ランプと拡散板との間に存在する隙間により、拡散板が自重で垂れ下がる現象が発生するようになり、拡散板の上部に液晶パネルが置かれるようになれば、拡散板がさらに垂れ下がりやすくなるという問題がある。
【特許文献１】韓国特許出願公開１０−２００６−００９１６４０号明細書
【発明の開示】
【発明が解決しようとする課題】
【０００９】
本発明が解決しようとする技術的課題は、液晶パネル全体に均一な輝度を提供し液晶表示装置の製造原価を節減することができ、拡散板が下に垂れ下がる現象を防止することができる液晶表示装置を提供することにある。
【課題を解決するための手段】
【００１０】
前記技術的課題を達成するための本発明の一実施形態による液晶表示装置は、データ電圧を印加した場合に互いに異なる輝度を示す第１領域と第２領域を含む液晶パネル、前記データ電圧が印加された場合に前記液晶パネルが示さなければならない基準輝度が保存されているメモリ及び前記データ電圧に対応する画像データを受信した場合に前記第１領域及び第２領域が前記基準輝度を示すことができるように前記画像データを補正する輝度補正部と、を含む。
【００１１】
その他実施形態の具体的な事項は詳細な説明及び図面に含まれている。
【発明の効果】
【００１２】
上述したような本発明の液晶表示装置によれば、次のような効果が少なくとも１つある。
【００１３】
第一に、信号制御部内部に輝度補正部を具備しているので、液晶パネル全体の輝度を均一に調節することができる。
【００１４】
第二に、ランプから拡散板まで一定の間隔を維持しなくても良いので、印刷回路基板と液晶パネルとを連結する駆動チップパッケージの長さが短くなって液晶表示装置の製造原価が節減される。
【００１５】
第三に、ランプから拡散板まで一定の間隔を維持しなくても良いので、拡散板が下に垂れ下がる現象を防止することができる。
【発明を実施するための最良の形態】
【００１６】
明細書全体にかけて同一の参照符号は同一の構成要素を示す。
【００１７】
以下、添付した図面を参照して本発明の一実施形態を詳細に説明する。
【００１８】
図１は本発明の第１実施形態による液晶表示装置を示す分解斜視図である。
【００１９】
図１を参照すると、液晶表示装置１０は液晶パネルアセンブリ１３０、バックライトアセンブリ１４０及び上部収納容器１１０を含む。
【００２０】
そして、液晶パネルアセンブリ１３０は、薄膜トランジスタ表示板１３３及び共通電極表示板１３４を含む液晶パネル１３６、液晶（図示せず）、ゲートテープキャリアパッケージ１３１、データテープキャリアパッケージ１３２及び印刷回路基板１３５を含む。
【００２１】
液晶パネル１３６は、ゲートライン（図示せず）、データライン（図示せず）、薄膜トランジスタアレイ、画素電極等を含む薄膜トランジスタ表示板１３３と、ブラックマトリックス（ｂｌａｃｋ  ｍａｔｒｉｘ）及び共通電極等を含み薄膜トランジスタ表示板１３３に対向するように配置された共通電極表示板１３４を含む。
【００２２】
そして、ゲートテープキャリアパッケージ１３１は薄膜トランジスタ表示板１３３に形成された各ゲートライン（図示せず）に接続され、データテープキャリアパッケージ１３２は薄膜トランジスタ表示板１３３に形成された各データライン（図示せず）に接続される。
【００２３】
一方、印刷回路基板１３５には、ゲートテープキャリアパッケージ１３１にゲート駆動信号及びデータテープキャリアパッケージ１３２にデータ駆動信号を入力可能にさせるゲート駆動信号及びデータ駆動信号を全て処理するための多くの駆動部品が実装される。
【００２４】
そして、バックライトアセンブリ１４０は、光学シート１４１、光学プレート１４２、ランプ１４３及び反射板１４４を含む。
【００２５】
ランプ１４３としては、ＬＥＤ（Ｌｉｇｈｔ  Ｅｍｉｔｔｅｄ  Ｄｉｏｄｅ）、ＣＣＦＬ（Ｃｏｌｄ  Ｃａｔｈｏｄｅ  Ｆｌｕｏｒｅｓｃｅｎｔ  Ｌａｍｐ）、ＥＥＦＬ（Ｅｘｔｅｒｎａｌ  Ｅｌｅｃｔｒｏｄｅ  Ｆｌｕｏｒｅｓｃｅｎｔ  Ｌａｍｐ）等を用いることができる。これらのランプ１４３は、外部からランプ１４３に印加されたランプ駆動電圧により発光する。また、ランプ１４３は、均一な距離をおいて離隔されて同位相で並列に連結され、直下型として構成される。ランプ１４３内部の放電ガスの分布が一定するようにし均一な輝度を得るためには、ランプ１４３は液晶パネル１３６に対して横方向に配列されることが好ましい。
【００２６】
光学プレート１４２は、ランプ１４３の上部に設置され、ランプ１４３で発生した光の輝度の均一性を向上させる役割を果たす。
【００２７】
反射板１４４は、ランプ１４３の下部に設置されてランプ１４３の下部から照射される光を上部に向けて反射させる。な反射板１４４は、下部収納容器１６０の底面に一体的に形成することができる。すなわち下部収納容器１６０をアルミニウム（Ａｌ）またはアルミニウム合金等の反射度が高い物質で構成して下部収納容器１６０自体が反射板１４４の機能を果たすことができるように構成することもできる。
【００２８】
そして、光学シート１４１は、光学プレート１４２の上部に設置され、ランプ１４３から放射される光を拡散して集光する役割を果たす。光学シート１４１は、拡散シート（ｄｉｆｆｕｓｉｏｎ ｓｈｅｅｔ）、第１プリズムシート、第２プリズムシート等を含む。
【００２９】
ここで、拡散シートは、ランプ１４３の上部に位置してランプ１４３から入射する光の輝度及び液晶パネル１３６の全面の輝度の均一性を向上させる役割を果たす。
【００３０】
第１プリズムシートは、拡散シートの上部に位置して、第１プリズムシートの一面には拡散シートから拡散した光を集光して照射するための三角柱状のプリズムパターン（図示せず）が一定の配列を有して形成されている。例えば、第１プリズムシートでは輝度強化フィルム（Ｂｒｉｇｈｔｎｅｓｓ  Ｅｎｈａｎｃｅｍｅｎｔ  Ｆｉｌｍ−III、ＢＥＦ−IIIＴＭ、製造社３Ｍ）を用いることができる。
【００３１】
第２プリズムシートは、第１プリズムシートの上部に位置して、光を集光及び偏光して照射する多層構造の反射型偏光プリズムシートである。例えば、第２プリズムシートでは、デュアル輝度強化フィルム（Ｄｕａｌ  Ｂｒｉｇｈｔｎｅｓｓ  Ｅｎｈａｎｃｅｍｅｎｔ  Ｆｉｌｍ、ＤＢＥＦＴＭ、製造社３Ｍ）を用いることができる。ただし、第１プリズムシートだけでも輝度及び視野角を十分に確保することができる場合には、第２プリズムシートは除外することができる。
【００３２】
バックライトアセンブリ１４０は、光学シート１４１、光学プレート１４２、ランプ１４３及び反射板１４４を収納する収納フレーム１５０及び下部収納容器１６０を含む。
【００３３】
液晶パネルアセンブリ１３０は、光学シート１４１上に設置され、収納フレーム１５０により支持されて下部収納容器１６０内に収容される。収納フレーム１５０は、長方形状の縁に沿って形成された側壁で構成されて内側壁に段差部または突起部が形成されて液晶パネルアセンブリ１３０を支持することができる構造になっている。下部収納容器１６０は、長方形状を有して上面の縁に沿って側壁が形成され、側壁内にバックライトアセンブリ１４０及び液晶パネルアセンブリ１３０を収容して固定させる役割を果たす。また、下部収納容器１６０、は複数の光学シート１４１の撓みを防止する。そして、液晶パネルアセンブリ１３０の印刷回路基板１３５は、下部収納容器１６０の外側壁に沿って折り曲げられて下部収納容器１６０の側壁または背面に取り付けられる。ここで、バックライトアセンブリ１４０または液晶パネルアセンブリ１３０を下部収納容器１６０に収容する方法によっては、下部収納容器１６０の形状を多様に変形することができる。
【００３４】
そして、下部収納容器１６０に収納された液晶パネルアセンブリ１３０の上面を覆うように上部収納容器１１０が下部収納容器１６０と結合するように配置される。上部収納容器１１０の上面には液晶パネルアセンブリ１３０を外部に露出させるウィンドウが形成されている。
【００３５】
上部収納容器１１０は、フック結合（図示せず）またはねじ結合（図示せず）によって下部収納容器１６０と締結される。これだけでなく、上部収納容器１１０と下部収納容器１６０の結合の方法は多様な方法を用いることができる。
【００３６】
図２は本発明の第１実施形態による画像データの輝度補正を示す図面である。
【００３７】
同じデータ電圧を液晶パネル１００に印加した場合、液晶パネル１００は同じ輝度を示さなければならない。しかし、直下型液晶表示装置（図１参照）は図２のように、ランプ１４３が設置されている場所に対応する液晶パネルの領域ａがランプ１４３が設置されていない場所に対応する液晶パネルの領域ｂよりもより高い輝度を有することから、液晶パネル１００はその領域に応じて互いに異なる輝度（Ａ）を有するようになる。
【００３８】
したがって、本発明ではランプ１４３が設置されている場所に対応する液晶パネルの領域ａに該当する画像データが基準輝度（ｃ）を有するように画像データを補正（Ｂ）する。基準輝度（ｃ）は、ランプ１４３が設置されていない場所に対応する液晶パネルの領域ｂの輝度である。結果的に、ランプ１４３が設置されている場所に対応する液晶パネルの領域ａの輝度とランプ１４３が設置されていない場所に対応する液晶パネルの領域ｂの輝度が等しくなって、液晶パネルは全体的に均一な輝度を有するようになる。
【００３９】
図３は本発明の第１実施形態による液晶表示装置のブロック図である。
【００４０】
図３に示したように、本発明の一実施形態による液晶表示装置は、液晶パネル１００、駆動電圧発生部２００、ゲート駆動部３００、ガンマ電圧発生部４００、データ駆動部５００、信号制御部６００を含む。
【００４１】
液晶パネル１００は、等価回路で見る時、複数の表示信号線（Ｇ１−Ｇｎ、Ｄ１−Ｄｍ）と、これらに連結しておりマトリックス（ｍａｔｒｉｘ）状に配列された複数の単位画素（ｐｉｘｅｌ）を含む。
【００４２】
ここで、表示信号線（Ｇ１―Ｇｎ、Ｄ１―Ｄｍ）はゲート信号を伝送する複数のゲート線（Ｇ１―Ｇｎ）とデータ信号を伝送するデータ線（Ｄ１―Ｄｍ）を含む。ゲート線（Ｇ１―Ｇｎ）は行方向に延長して互いにほぼ平行して配置されており、データ線（Ｄ１―Ｄｍ）は列方向に延長して互いにほぼ平行配置されている。
【００４３】
各単位画素は表示信号線（Ｇ１―Ｇｎ、Ｄ１―Ｄｍ）に連結されたスイッチング素子（Ｑ）とこれに連結した液晶キャパシタ（ｌｉｑｕｉｄ  ｃｒｙｓｔａｌ  ｃａｐａｃｉｔｏｒ）Ｃｌｃ及び保持キャパシタ（ｓｔｏｒａｇｅ  ｃａｐａｃｉｔｏｒ）Ｃｓｔを含む。保持キャパシタＣｓｔは必要に応じて省略することができる。
【００４４】
スイッチング素子（Ｑ）はＴＦＴ基板に具備されており、三端子素子でその制御端子及び入力端子はそれぞれゲート線（Ｇ１―Ｇｎ）及びデータ線（Ｄ１―Ｄｍ）に連結されており、出力端子は液晶キャパシタＣｌｃ及び保持キャパシタＣｓｔに連結されている。
【００４５】
液晶キャパシタＣｌｃは、ＴＦＴ基板の画素電極とカラーフィルタ基板の共通電極は２つの端子として、両電極間の液晶層は誘電体として機能する。画素電極はスイッチング素子（Ｑ）に連結され、共通電極はカラーフィルタ基板の全面に形成されて共通電圧Ｖｃｏｍの印加を受ける。ここで、共通電極がＴＦＴ基板に具備される場合もあり、このときには両電極は全て線形または棒状に作られる。
【００４６】
保持キャパシタＣｓｔは、ＴＦＴ基板に具備された別個の信号線（図示せず）と画素電極が重なって形成され、この別個の信号線には共通電圧Ｖｃｏｍ等の決まった電圧が印加される（独立配線方式）。しかし、保持キャパシタＣｓｔは画素電極が絶縁体を介して真上の前段ゲート線と重なって形成することもできる（前段ゲート方式）。
【００４７】
一方、色表示を具現するためには、各単位画素が色相を表示することができるようにしなければならないが、これは画素電極に対応する領域に赤色、緑色、または青色のカラーフィルタを具備させることによって可能である。ここで、カラーフィルタはカラーフィルタ基板の該領域に形成することができ、また、ＴＦＴ基板の画素電極上または下に形成することもできる。
【００４８】
液晶パネル１００のＴＦＴ基板及びカラーフィルタ基板のうち少なくとも一つの外側面には光を偏光させる偏光子（図示せず）が取り付けられる。
【００４９】
駆動電圧発生部２００は複数の駆動電圧を生成する。例えば、駆動電圧発生部２００はゲートオン電圧Ｖｏｎとゲートオフ電圧Ｖｏｆｆ及び共通電圧Ｖｃｏｍを生成する。
【００５０】
ゲート駆動部３００は、液晶パネル１００のゲート線（Ｇ１―Ｇｎ）に連結され、外部からのゲートオン電圧Ｖｏｎとゲートオフ電圧Ｖｏｆｆを組み合わせることによって構成されたゲート信号をゲート線（Ｇ１―Ｇｎ）に印加する。
【００５１】
ガンマ電圧発生部４００は単位画素の透過率と関連した２対の複数ガンマ電圧を生成することができる。すなわち、２対のうち１対は正極性データ電圧であって、他の１対は負極性データ電圧になる。正極性データ電圧と負極性データ電圧は共通電圧Ｖｃｏｍに対してデータ電圧の極性が反対である電圧を意味し、反転駆動時交互に液晶パネルにそれぞれ提供される。
【００５２】
データ駆動部５００は、液晶パネル１００のデータ線（Ｄ１―Ｄｍ）に連結されており、データ駆動部５００は、ガンマ電圧発生部４００から提供された複数のガンマ電圧に基づいて複数の階調電圧を生成し、生成された階調電圧を選択してデータ信号として各単位画素に印加する機能を有し、通常複数の集積回路で構成される。
【００５３】
信号制御部６００は、ゲート駆動部３００及びデータ駆動部５００等の動作を制御する制御信号を生成して、各該当する制御信号をゲート駆動部３００及びデータ駆動部５００に提供する。一方、信号制御部６００は内部に輝度補正部６２０を含み、これを介して均一な輝度を有する画像データを液晶パネル１００に出力する。これに対する説明は図４を参照して詳細に説明する。
【００５４】
以下、液晶表示装置の表示動作についてさらに詳細に説明する。
【００５５】
信号制御部６００は、外部のグラフィック制御器からＲＧＢ画像データＲ、Ｇ、Ｂ及びこれの表示を制御する入力制御信号、例えば垂直同期信号Ｖｓｙｎｃと水平同期信号Ｈｓｙｎｃ、メインクロックＭＣＬＫ、データイネーブル信号ＤＥ等を受信する。信号制御部６００は、入力制御信号に基づいてゲート制御信号ＣＯＮＴ１及びデータ制御信号ＣＯＮＴ２等を生成して画像データＲ、Ｇ、Ｂを液晶パネル１００の動作条件に合うように適切に処理した後、ゲート制御信号ＣＯＮＴ１をゲート駆動部３００に提供し、データ制御信号ＣＯＮＴ２と処理した画像データＲ’、Ｇ’、Ｂ’をデータ駆動部５００に提供する。
【００５６】
ゲート制御信号ＣＯＮＴ１は、ゲートオンパルス（ゲートオン電圧区間）の出力開始を指示する垂直同期開始信号ＳＴＶ、ゲートオンパルスの出力時期を制御するゲートクロック信号ＣＰＶ及びゲートオンパルスの幅を限定する出力イネーブル信号ＯＥ等を含む。このうち、ゲートクロック信号ＣＰＶと出力イネーブル信号ＯＥは駆動電圧発生部２００に提供される。
【００５７】
データ制御信号ＣＯＮＴ２は、画像データＲ’、Ｇ’、Ｂ’の入力開始を指示する水平同期開始信号（ＳＴＨ）、データ線（Ｄ１―Ｄｍ）に該データ電圧を印加しなさいというロード信号ＬＯＡＤ、共通電圧Ｖｃｏｍに対するデータ電圧の極性（以下‘共通電圧に対するデータ電圧の極性’を略して‘データ電圧の極性’と称する）を反転させる反転信号ＲＶＳ及びデータクロック信号ＨＣＬＫ等を含む。
【００５８】
データ駆動部５００は、信号制御部６００からのデータ制御信号ＣＯＮＴ２にしたがって１行の単位画素に対応する画像データＲ’、Ｇ’、Ｂ’を順に入力し、階調電圧のうち各画像データＲ’、Ｇ’、Ｂ’に対応する階調電圧を選択することによって、画像データＲ’、Ｇ’、Ｂ’をデータ電圧に変換する。
【００５９】
ゲート駆動部３００は、信号制御部６００からのゲート制御信号ＣＯＮＴ１にしたがってゲートオン電圧Ｖｏｎをゲート線（Ｇ１―Ｇｎ）に印加してこのゲート線（Ｇ１―Ｇｎ）に連結されたスイッチング素子（Ｑ）をターンオンさせる。
【００６０】
一つのゲート線（Ｇ１―Ｇｎ）にゲートオン電圧Ｖｏｎが印加されこれに連結した１行のスイッチング素子（Ｑ）がターンオンされている間［この期間を‘１Ｈ’または‘１水平周期（ｈｏｒｉｚｏｎｔａｌ  ｐｅｒｉｏｄ）’といって水平同期信号Ｈｓｙｎｃ、データイネーブル信号ＤＥ、ゲートクロック（ＣＰＶ）の１周期と同じである］、データ駆動部５００は各データ電圧をデータ線（Ｄ１−Ｄｍ）に供給する。データ線（Ｄ１―Ｄｍ）に供給されたデータ電圧はターンオンされたスイッチング素子（Ｑ）を介して各単位画素に印加される。
【００６１】
液晶分子は、画素電極と共通電極が生成する電界の方向や大きさの変化によってその配列を変えこれにより液晶層を通過する光の偏光を変化させる。このような偏光の変化はＴＦＴ基板及びカラーフィルタ基板に取り付けられた偏光子（図示せず）による光の透過率の変化として現われる。
【００６２】
このような方法で、１フレーム（ｆｒａｍｅ）間全てのゲート線（Ｇ１―Ｇｎ）に対して順にゲートオン電圧Ｖｏｎを印加して全ての単位画素にデータ電圧を印加する。１フレームが終わると次のフレームが始まって、各単位画素に印加されるデータ電圧の極性が以前のフレームにおける極性と反対になるようにデータ駆動部５００に印加される反転信号ＲＶＳの状態が制御される（‘フレーム反転’）。この時、１フレーム内でも反転信号ＲＶＳの特性によって１データ線を介して流れるデータ電圧の極性が変わったり（‘ライン反転’）、一画素行に印加されるデータ電圧の極性が変わったりすることができる（‘ドット反転’）。
【００６３】
図４は本発明の第１実施形態による信号制御部の内部ブロック図であって、図５は本発明の第１実施形態による輝度補正部内部ブロック図であって、図６は本発明の第１実施形態による画像データを補正する方法を示す図面である。
【００６４】
図４及び図５を参照すると、本発明の一実施形態による信号制御部６００はメモリ６１０と輝度補正部６２０を含む。
【００６５】
メモリ６１０は、画像データＲ、Ｇ、Ｂに対応するデータ電圧が印加される場合、液晶パネル１００が示さなければならない基準輝度を保存している。基準輝度は、図２のようにランプ１４３が設置されている場所に対応する液晶パネルの領域ａの輝度またはランプ１４３が設置されていない場所に対応する液晶パネルの領域ｂの輝度のいずれかの輝度である。ここで、メモリ６１０は信号制御部６００の内部に配置されることもでき、信号制御部６００の外部に配置されることもできる。メモリ６１０はＲＡＭではなく、ＲＯＭで構成されることができる。
【００６６】
輝度補正部６２０は、Ｒデータ補正部６２２、Ｇデータ補正部６２４及びＢデータ補正部６２６と、これらにそれぞれ連結されたＲ多階調化部６３２、Ｇ多階調化部６３４及びＢ多階調化部、６３６を含む。
【００６７】
Ｒ、Ｇ及びＢデータ補正部６２２、６２４、６２６は、外部から提供されるｎビットの画像データＲ、Ｇ、Ｂをメモリ６１０に保存されている基準輝度に合うようにあらかじめ決められたｍビットの画像データに変換した後、その変換した後の画像データをＲ、Ｇ及びＢ多階調化部６３２、６３４、６３６にそれぞれ出力する。
【００６８】
Ｒ、Ｇ及びＢ多階調化部６３２、６３４、６３６は、ｍビット（ｍ＞ｎ）の画像データをＲ、Ｇ及びＢそれぞれのｎビット画像データに変換した後、その変換した後の画像データを信号制御部６００に提供する。ここで、Ｒ、Ｇ及びＢ多階調化部６３２、６３４、６３６は、時間的にディザリング（ｄｉｔｈｅｒｉｎｇ）処理とフレームレートコントロール（ｆｒａｍｅ  ｒａｔｅ  ｃｏｎｔｒｏｌ）処理を行う。このようなＲ、Ｇ及びＢ多階調化部６３２、６３４、６３６は一つの独立した多階調化部とすることができる。
【００６９】
図６を参照すると、１５０階調に該当するＢ画像データの輝度を希望する値に下げるためにはこれに該当する階調のＢ画像データが入力されなければならない。すなわち、図６で１４８．５階調に該当するＢ画像データが入力される時希望する輝度を得ることができる。したがって、外部から入力される１５０階調のＢ画像データをＢデータ補正部６２６により１４８．５階調の画像データに補正しなければならない。ところが入力される画像データが８ビットの場合には、１４８．５階調を表現することができないので、さらに高いビットを用いて表現しなければならない。例えば１０ビットを用いるならば１４８．５階調は５９４（＝１４８．５×４）で対応させることができる。
【００７０】
そして、データ駆動部５００に出力される画像データは、ｎビットまたはそれ以下のビットを用いるので多階調化部６３２、６３４、６３６ではｍビットの画像データに対して空間的ディザリング処理と時間的フレームレートコントロール処理をしてデータ駆動部５００に提供する。
【００７１】
図７は本発明の第１実施形態によるディザリング処理とフレームレートコントロール処理を示す図面である。
【００７２】
図７を参照すると、１０ビットの画像データは、上位８ビットのデータと下位２ビットのデータとに分けることができ、下位２ビットのデータは‘００’、‘０１’、‘１０’または‘１１’になる。この時、下位２ビットのデータが‘００’の場合を表示するためには、隣接する４個の画素を全部上位８ビットのデータで表現すればよい。そして、下位２ビットのデータが‘０１’の場合を表示するためには、隣接する４個の画素のうち一つの画素には上位８ビットのデータに１を加えた値を表示すれば、４個の画素では平均的に下位２ビットが‘０１’の場合になる。この時、フリッカーが発生しないように、上位８ビット＋１に該当する画素の位置を図７に示したようにフレームによって移動させればよい。
【００７３】
同様に、下位２ビットが‘１０’の場合を表示するためには、隣接する４個の画素で２個の画素を上位８ビット＋１のデータで表示して、下位２ビットが‘１１’の場合を表示するためには、３個の画素を上位８ビット＋１のデータで表示すればよい。そして、これらの場合にも、フリッカーが発生しないように、８ビット＋１のデータで表示される画素の位置をフレームによって変更させればよい。図７では４ｎ、４ｎ＋１、４ｎ＋２及び４ｎ＋３フレームによって画素の位置を変更する方法を示している。
【００７４】
図８は本発明の第２実施形態による画像データの輝度補正を示す図面である。
【００７５】
同じデータ電圧を液晶パネル１００に印加した場合、液晶パネル１００は同じ輝度を示さなければならない。しかし、直下型液晶表示装置（図１参照）は、図８のように、ランプ１４３が設置されていない場所に対応する液晶パネルの領域ｂの輝度が、ランプ１４３が設置されている場所に対応する液晶パネルの領域ａの輝度よりもさらに低い輝度を有するようになって、液晶パネル１００はその領域に応じて互いに異なる輝度（Ａ）を有するようになる。
【００７６】
したがって、本発明ではランプ１４３が設置されていない場所に対応する液晶パネルの領域ｂに該当する画像データが基準輝度（ｃ）を有するように画像データを補正（Ｂ）する。基準輝度（ｃ）は、ランプ１４３が設置されている場所に対応する液晶パネルの領域ｂの輝度である。結果的に、ランプ１４３が設置されている場所に対応する液晶パネルの領域ａの輝度とランプ１４３が設置されていない場所に対応する液晶パネルの領域ｂの輝度が等しくなって、液晶パネルは全体的に均一な輝度を有するようになる。
【００７７】
本発明の第２実施形態による信号制御部６００は、本発明の第１実施形態（図４参照）と同一の構造を有し、また本発明の第２実施形態による画像データを補正する方法は、本発明の第１実施形態（図６参照）と同じ方法を用いるので、これらに対する説明は省略する。
【００７８】
本発明の第２実施形態による信号制御部６００はメモリ６１０と輝度補正部６２０を含む。
【００７９】
メモリ６１０は、画像データＲ、Ｇ、Ｂに対応するデータ電圧が印加される場合、液晶パネル１００が示さなければならない基準輝度を保存している。基準輝度は、図８のようにランプ１４３が設置されている場所に対応する液晶パネルの領域ａの輝度またはランプ１４３が設置されていない場所に対応する液晶パネルの領域ｂのいずれかの輝度である。
【００８０】
輝度補正部６２０は、Ｒデータ補正部６２２、Ｇデータ補正部６２４、Ｂデータ補正部６２６とこれらにそれぞれ連結されたＲ多階調化部６３２、Ｇ多階調化部６３４及びＢ多階調化部６３６を含む。
【００８１】
Ｒ、Ｇ及びＢデータ補正部６２２、６２４、６２６は、外部から提供されるｎビットの画像データＲ、Ｇ、Ｂをメモリ６１０に保存されている基準輝度に合うようにあらかじめ決められたｍビットの画像データに変換した後、その変換した後の画像データをＲ、Ｇ及びＢ多階調化部６３２、６３４、６３６にそれぞれ出力する。
【００８２】
Ｒ、Ｇ及びＢ多階調化部６３２、６３４、６３６はｍビット（ｍ＞ｎ）の画像データをＲ、Ｇ及びＢそれぞれのｎビット画像データに変換した後、その変換した後の画像データを信号制御部６００に提供する。ここで、Ｒ、Ｇ及びＢ多階調化部６３２、６３４、６３６は時間的にディザリング（ｄｉｔｈｅｒｉｎｇ）処理とフレームレートコントロール（ｆｒａｍｅ  ｒａｔｅ  ｃｏｎｔｒｏｌ）処理を行う。このようなＲ、Ｇ及びＢ多階調化部６３２、６３４、６３６は一つの独立した多階調化部とすることができる。
【００８３】
そして、本発明の第２実施形態による画像データを補正する方法は、図６と同じ方法を用いるので、これについての説明は省略する。
【００８４】
図９は本発明の第３実施形態による画像データの輝度補正を示す図面である。
【００８５】
同じデータ電圧を液晶パネル１００に印加した場合、液晶パネル１００は同じ輝度を示さなければならない。しかし、直下型液晶表示装置（図１参照）は図９のように、ランプ１４３が設置されている場所に対応する液晶パネルの領域ａの輝度とランプ１４３が設置されていない場所に対応する液晶パネルの領域ｂの輝度が異なって、液晶パネル１００はその領域に応じて互いに異なる輝度（Ａ）を有するようになる。
【００８６】
したがって、本発明では、ランプ１４３が設置されている場所に対応する液晶パネルの領域ａとランプ１４３が設置されていない場所に対応する液晶パネルの領域ｂに該当する画像データが基準輝度（ｃ）を有するように画像データを補正（ｃ）する。基準輝度（ｃ）は、ランプ１４３が設置されていない場所に対応する液晶パネルの領域ｂの輝度よりも高く、ランプ１４３が設置されている場所に対応する液晶パネルの所定領域ａの輝度よりも低い場合がある。結果的に、ランプ１４３が設置されている場所に対応する液晶パネルの領域ａの輝度とランプ１４３が設置されていない場所に対応する液晶パネルの領域ｂの輝度が等しくなって、これにより液晶パネルは全体的に均一な輝度を有するようになる。
【００８７】
本発明の第３実施形態による信号制御部６００は、本発明の第１実施形態（図４参照）と同一の構造を有し、また本発明の第３実施形態による画像データを補正する方法は、本発明の第１実施形態（図６参照）と同じ方法を用いるので、これらに対する説明は省略する。
【００８８】
本発明の第３実施形態による信号制御部６００はメモリ６１０と輝度補正部６２０を含む。
【００８９】
メモリ６１０は、画像データＲ、Ｇ、Ｂに対応するデータ電圧が印加される場合、液晶パネル１００が示さなければならない基準輝度を保存している。基準輝度は、図９のようにランプが設置されていない場所に対応する液晶パネルの所定領域ｂの輝度よりも高く、ランプが設置されている場所に対応する液晶パネルの所定領域ａの輝度よりも低い場合がある。
【００９０】
輝度補正部６２０はＲデータ補正部６２２、Ｇデータ補正部６２４、Ｂデータ補正部６２６とこれにそれぞれ連結したＲ多階調化部６３２、Ｇ多階調化部６３４及びＢ多階調化部６３６を含む。
【００９１】
Ｒ、Ｇ及びＢデータ補正部６２２、６２４、６２６は、外部から提供するｎビットの画像データＲ、Ｇ、Ｂをメモリ６１０に保存されている基準輝度に合うようにあらかじめ決められたｍビットの画像データに変換した後、その変換した後の画像データをＲ、Ｇ及びＢ多階調化部６３２、６３４、６３６にそれぞれ出力する。
【００９２】
Ｒ、Ｇ及びＢ多階調化部６３２、６３４、６３６はｍビット（ｍ＞ｎ）の画像データをＲ、Ｇ及びＢそれぞれのｎビット画像データに変換した後、その変換した後の画像データを信号制御部６００に提供する。ここで、Ｒ、Ｇ及びＢ多階調化部６３２、６３４、６３６は時間的にディザリング（ｄｉｔｈｅｒｉｎｇ）処理とフレームレートコントロール（ｆｒａｍｅ  ｒａｔｅ  ｃｏｎｔｒｏｌ）処理を行う。このようなＲ、Ｇ及びＢ多階調化部６３２、６３４、６３６は一つの独立した多階調化部とすることができる。
【００９３】
以上、添付した図面を参照して本発明の実施形態を説明したが、本発明が属する技術分野で通常の知識を有する者は、本発明がその技術的思想や必須な特徴を変更せずに、他の具体的な形態によって実施できるということが理解できる。それゆえ、以上で記述した実施形態は全ての面で例示的なものであって、限定的ではないことを理解しなければならない。
【産業上の利用可能性】
【００９４】
本発明は液晶表示装置に適用され得る。
【図面の簡単な説明】
【００９５】
【図１】本発明の第１実施形態による液晶表示装置を示す分解斜視図である。
【図２】本発明の第１実施形態による画像データの輝度補正を示す図面である。
【図３】本発明の第１実施形態による液晶表示装置のブロック図である。
【図４】本発明の第１実施形態による信号制御部の内部ブロック図である。
【図５】本発明の第１実施形態による輝度補正部内部ブロック図である。
【図６】本発明の第１実施形態による画像データを補正する方法を示す図面である。
【図７】本発明の第１実施形態によるディザリング処理とフレームレートコントロール処理を示す図面である。
【図８】本発明の第２実施形態による画像データの輝度補正を示す図面である。
【図９】本発明の第３実施形態による画像データの輝度補正を示す図面である。
【符号の説明】
【００９６】
１０    液晶表示装置、
１００    液晶パネル、
１１０    上部収納容器、
１３０    液晶パネルアセンブリ、
１３１    ゲートテープキャリアパッケージ、
１３２    データテープキャリアパッケージ、
１３３    薄膜トランジスタ表示板、
１３４    共通電極表示板、
１３５    印刷回路基板、
１３６    液晶パネル、
１４０    バックライトアセンブリ、
１４１    光学シート、
１４２    光学プレート、
１４３    ランプ、
１４４    反射板、
１５０    収納フレーム、
１６０    下部収納容器、
２００    駆動電圧発生部、
３００    ゲート駆動部、
４００    ガンマ電圧発生部、
５００    データ駆動部、
６００    信号制御部、
６１０    メモリ、
６２０    輝度補正部、
６２２    Ｒデータ補正部、
６２４    Ｇデータ補正部、
６２６    Ｂデータ補正部、
６３２    Ｒ多階調化部、
６３４    Ｇ多階調化部、
６３６    Ｂ多階調化部。
【図１】
2008077041.tif 000003
【図２】
2008077041.tif 000004
【図３】
2008077041.tif 000005
【図４】
2008077041.tif 000006
【図５】
2008077041.tif 000007
【図６】
2008077041.tif 000008
【図７】
2008077041.tif 000009
【図８】
2008077041.tif 000010
【図９】
2008077041.tif 000011